(57)【要約】      （修正有）【課題】セパレータ構造における取付金具のスパナ掛けによる応力集中の解消と、その重量の軽量化を達成して、より一層耐久性と安全性を向上させたセパレータ構造と該セパレータ構造用取付金具とを提供すること。【解決手段】縦断面太鼓形のアンカーブラケット２と、その一端側に螺合され、外端に盤体１bを螺着したネジ部１aを有する軸棒１と、他端側に螺合され、円錐面や放物曲面に形成される外周面を有する金具本体３cの突端に止めネジ軸３dを突設した取付金具３Aとから成るセパレータ構造Ａにおいて、前記取付金具３Aの金具本体３cの外周面に、軸心方向に沿って複数個の溝３e又は／及び突起の頂面が配設される。前記金具本体３cの外周面に、軸心方向に沿って複数個の溝３e又は／及び突起の頂面が配設される。【選択図】図１
2008240259.tif 000002
【特許請求の範囲】
【請求項１】
縦断面太鼓形のブラケット本体の内外にそれぞれ内フランジと外フランジを一体とするアンカーブラケットと、該アンカーブラケットに内フランジ側から螺合され、一端側に盤体を螺着したネジ部を有する軸棒と、前記外フランジからアンカーブラケットに螺合される大ネジ軸を突設し、該大ネジ軸の基部に該外フランジの凹部に嵌着される円形嵌着部が設けられ、該円形嵌着部の外周を大径として他端側に向けて小径とする外周面を形成する金具本体の突端に止めネジ軸を突設した取付金具とから成るセパレータ構造において、
前記取付金具は、金具本体の外周面に、軸心方向に沿って複数個の溝又は／及び突起の頂面が配設されて成るセパレータ構造。
【請求項２】
一端の円形嵌着部の軸心に大ネジ軸を突設し、該円形嵌着部の外周を大径として他端に向けて小径とする外周面を形成する金具本体の突端に止めネジ軸を突設して成る取付金具において、
前記金具本体の外周面に、軸心方向に沿って複数個の溝又は／及び突起の頂面が配設されて成るセパレータ構造用取付金具。
【発明の詳細な説明】
【技術分野】
【０００１】
本発明は、コンクリート打設時の型枠支持に使用されるとともに、型枠解体後に鉄筋コンクリート構造体の躯体の外壁面に外断熱体を接合できるセパレータ構造とその細部に関する。
【背景技術】
【０００２】
本出願人は、鉄筋コンクリート構造体の構築に使用する両型枠を支持固定するとともに、型枠解体後に鉄筋コンクリート構造体の躯体の外壁面へ取付ける断熱材等の外断熱体の取着を、その取付け自由度を広範に、かつ、工期を短縮して達成できるセパレータ構造を特開２００７−２３５３６号公報（特許文献１）に先行技術として提案し、前記外断熱体を取着する取付金具の金具本体を円錐状にして耐久性の向上を図ったものである。
取付金具の大ネジ軸をアンカーブラケットに接合する際に、アンカーブラケットの外フランジの凹部に金具本体の基部の嵌着部を嵌着して振れ止めを図り、外断熱体の自重や風圧等の負荷に対して強固に対応したものである。
ところが、アンカーブラケットに対して取付金具を接合する際のスパナ掛けとして、金具本体の一部に対向して切欠き二面幅部を欠設したことから、この切欠き二面幅部に応力集中が発現するおそれがあるため、その点の解消と金具本体の重量の軽量化が要望された。
【特許文献１】特開２００７−２３５３６号公報
【発明の開示】
【発明が解決しようとする課題】
【０００３】
本発明は上記に鑑みて、セパレータ構造における取付金具のスパナ掛けによる応力集中の解消と、その重力の軽量化を達成して、耐久性と安全性を向上させたセパレータ構造と該セパレータ構造用取付金具との提供をその目的とする。
【課題を解決するための手段】
【０００４】
本発明の請求項１に記載したセパレータ構造は、縦断面太鼓形のブラケット本体の内外にそれぞれ内フランジと外フランジを一体とするアンカーブラケットと、該アンカーブラケットに内フランジ側から螺合され、端側に盤体を螺着したネジ部を有する軸棒と、前記外フランジからアンカーブラケットに螺合される大ネジ軸を突設し、該大ネジ軸の基部に該外フランジの凹部に嵌着される円形嵌着部が設けられ、該円形嵌着部の外周を大径として他端側に向けて小径とする外周面を形成する金具本体の突端に止めネジ軸を突設した取付金具とから成るセパレータ構造において、
前記取付金具は、金具本体の外周面に、軸心方向に沿って複数個の溝又は／及び突起の頂面が配設されて成る
本発明の請求項２に記載したセパレータ構造用取付金具は、一端の円形嵌着部の軸心に大ネジ軸を突設し、該円形嵌着部の外周を大径として他端に向けて小径とする外周面を形成する金具本体の突端に止めネジ軸を突設して成る取付金具において、
前記金具本体の外周面に、軸心方向に沿って複数個の溝又は／及び突起の頂面が配設されて成る。
【発明の効果】
【０００５】
本発明によれば、取付金具の金具本体の外周面に軸心方向に沿って溝又は／及び突起の頂面を配設することで溝や突起をスパナ掛けとしたから、軸心に対して作用する曲げモーメントによる曲げ応力の応力集中が解消して曲げ強度が強化され、耐久性と安全性が向上するとともに、無垢の金具本体の断面に比して溝又は突起間の断面が減少することとなってその分重量が軽量化され取扱い易くなる。
【発明を実施するための最良の形態】
【０００６】
本発明の取付金具本体の外周面は、円形嵌着部の外周を大径端とする円錐面のものから放物曲面などであり、スパナ掛けとなる溝や突起は平行な溝や突起などであり、突起の頂面は円錐面上又は放物曲面上に配置され、溝の底面は直線状のものや曲線状のものが選択され、その数は６個が最適である。金具本体は長短種々で軸部も含む。
【実施例】
【０００７】
本発明のセパレータ構造Ａをコンクリートが打設され型枠が外されて鉄筋コンクリート構造体ａが構築された実施例により説明すると、図３に示すように、左端側のネジ部１aに所要外形（六角形や円形で一部に二面幅部を切欠いた形状等）、所要厚の盤体１bを螺着し、右端側にネジ部１aを配設した軸棒１と、縦断面太鼓形のブラケット本体２aの左部に設けられる内フランジ２bから螺設され、前記右端側のネジ部１aが螺合される小ネジ孔２cと、右部に設けられる外フランジ２dの凹部２eから小ネジ孔２cに向けて連接される大径の大ネジ孔２fを有するアンカーブラケット２と、大ネジ孔２fに螺合される大ネジ軸３aを凹部２eに嵌着される円形嵌着部３bの軸心より突設し、円形嵌着部３bの外周を大径として右方へ向けて小径とする円錐面を形成する金具本体３cの突端に止めネジ軸３dを突設した取付金具３Aとから成る。
そして、取付金具３Aには図１に示すように、金具本体３cの円錐面に底面が扇形で、両側面が図２に示すようにＶ形状の溝３eが６個形成され、溝３e間に挟まれる突起がスパナ掛け３fとして使用される。
したがって、セパレータ構造Ａでは軸棒１の左端側のネジ部１aに内装材（図外）が接合され、取付金具３Aの金具本体３cには断熱材や外装材等の外断熱体（図外）が係着されて適宜なナットを介して止めネジ軸３dに螺合されるナットで要所が締結される。
【０００８】
他の態様の取付金具３Bは図４に示すように、大ネジ軸３aを突設する円形嵌着部３bの外周を大径として他端を軸部３gの外径に向けて小径とする放物曲面を形成する金具本体３cの軸部３gの突端に止めネジ軸３dが突設され、止めネジ軸３dには適宜な座金が係着される。この放物曲面に設けられる溝３eはその底面が分図（ｂ）に示すように正面平行な滑り台状で、両側面は分図（ａ）に示すように三日月状に欠切されてスパナ掛け３fが形成される。
したがって、図６に示すようにセパレータ構造Ｂに取付金具３Bを用いるときは、溝３eで形成されるスパナ掛け３fにスパナを掛け、アンカーブラケット２の大ネジ孔２fに大ネジ軸３aを螺合するとともに、凹部２eに円形嵌着部３bを嵌着させて取付金具３Bがアンカーブラケット２に係着され、金具本体３cの放物曲面や軸部３gに外断熱体（図外）が係着され、外断熱体は適宜な座金を介して止めネジ軸３dに螺合される所要のナットで要所が締結される。
【０００９】
さらに他の態様の取付金具３Cは図５に示すように、円形嵌着部３bを座盤として左方に大ネジ軸３aを突設し、右方に所要長さの軸部３gを横設し、軸部３gの突端に止めネジ軸３dを突設し、軸部３gの周面に均等に６個の突起３hを立設するとともに、その頂面を円形嵌着部３bの外周を大径として他端に向けて小径とする放物曲面上に配設して成る。
したがって、取付金具３Cをアンカーブラケット２に螺合するときは突起３hをスパナ掛け３fとして使用する。セパレータ構造Ｂとして使用するときは、放物曲面と軸部３gに金具本体３Cに外断熱体（図外）が係着され、それらは適宜な座金を介して止めネジ軸３dに螺合した所要のナットで要所が締結される。
【００１０】
本発明の取付金具３A乃至３Cを用いたセパレータ構造Ａ、Ｂによれば、金具本体３cの軽量化が図られる上、スパナ掛け３fを形成する溝３eや突起３hが金具本体３cの円錐面や放物曲面の軸心に沿って形成されるから、外断熱体の自重や風圧等の外力による曲げ応力の応力集中が解消され、耐久性と安全性が向上する。
【産業上の利用可能性】
【００１１】
先に提案したセパレータ構造における各種外断熱体への対応自由度の広汎化に加えて軽量化が達成されるとともに曲げ強度の強化が図られたことから、より一層の需要が期待される。
【図面の簡単な説明】
【００１２】
【図１】本発明の取付金具３Aの説明図で、（ａ）はその正面図、（ｂ）は（ａ）の右側面図、(ｃ)は（ａ）の背面図。
【図２】図１（ｃ）のＡ−Ａ矢視断面図。
【図３】鉄筋コンクリート構造体ａにおける本発明のセパレータ構造Ａの説明図。
【図４】本発明の取付金具３Bの説明図で、（ａ）はその正面図、（ｂ）は（ａ）の右側面図。
【図５】本発明の取付金具３Cの説明図で、（ａ）はその正面図、（ｂ）は（ａ）の右側面図。
【図６】鉄筋コンクリート構造体ａにおける本発明のセパレータ構造Ｂの説明図。
【符号の説明】
【００１３】
１：軸棒
１a：ネジ部
１b：盤体
２：アンカーブラケット
２a：ブラケット本体
２b：内フランジ
２c：小ネジ孔
２d：外フランジ
２e：凹部
２f：大ネジ孔
３A、３B、３C：取付金具
３a：大ネジ軸
３b：円形嵌着部
３c：金具本体
３d：止めネジ軸
３e：溝
３f：スパナ掛け
３g：軸部
３h：突起
ａ：コンクリート構造体
Ａ、Ｂ：セパレータ構造
【図１】
2008240259.tif 000003
【図２】
2008240259.tif 000004
【図３】
2008240259.tif 000005
【図４】
2008240259.tif 000006
【図５】
2008240259.tif 000007
【図６】
2008240259.tif 000008